【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
ブロック単位で動き補償予測を行う動画像符号化装置であって、
符号化対象ブロックのブロックサイズが所定の閾サイズより大きい場合、符号化済み画像にあるブロックから予測動きベクトル候補を導出し、前記符号化対象ブロックのブロックサイズが前記所定の閾サイズ以下の場合、前記予測動きベクトル候補を導出しない予測動きベクトル候補生成部を備えることを特徴とする動画像符号化装置。
【請求項２】
ブロック単位で動き補償予測を行う動画像符号化方法であって、
符号化対象ブロックのブロックサイズが所定の閾サイズより大きい場合、符号化済み画像にあるブロックから予測動きベクトル候補を導出し、前記符号化対象ブロックのブロックサイズが前記所定の閾サイズ以下の場合、前記予測動きベクトル候補を導出しない予測動きベクトル候補生成ステップを備えることを特徴とする動画像符号化方法。
【請求項３】
ブロック単位で動き補償予測を行う動画像符号化プログラムであって、
符号化対象ブロックのブロックサイズが所定の閾サイズより大きい場合、符号化済み画像にあるブロックから予測動きベクトル候補を導出し、前記符号化対象ブロックのブロックサイズが前記所定の閾サイズ以下の場合、前記予測動きベクトル候補を導出しない予測動きベクトル候補生成ステップをコンピュータに実行させることを特徴とする動画像符号化プログラム。
【請求項４】
ブロック単位で動き補償予測を行う動画像符号化方法により符号化された符号化ビット列をパケット化して符号化データを得るパケット処理部と、
パケット化された前記符号化データを送信する送信部とを備え、
前記動画像符号化方法は、
符号化対象ブロックのブロックサイズが所定の閾サイズより大きい場合、符号化済み画像にあるブロックから予測動きベクトル候補を導出し、前記符号化対象ブロックのブロックサイズが前記所定の閾サイズ以下の場合、前記予測動きベクトル候補を導出しない予測動きベクトル候補生成ステップを備えることを特徴とする送信装置。
【請求項５】
ブロック単位で動き補償予測を行う動画像符号化方法により符号化された符号化ビット列をパケット化して符号化データを得るパケット処理ステップと、
パケット化された前記符号化データを送信する送信ステップとを備え、
前記動画像符号化方法は、
符号化対象ブロックのブロックサイズが所定の閾サイズより大きい場合、符号化済み画像にあるブロックから予測動きベクトル候補を導出し、前記符号化対象ブロックのブロックサイズが前記所定の閾サイズ以下の場合、前記予測動きベクトル候補を導出しない予測動きベクトル候補生成ステップを備えることを特徴とする送信方法。
【請求項６】
ブロック単位で動き補償予測を行う動画像符号化方法により符号化された符号化ビット列をパケット化して符号化データを得るパケット処理ステップと、
パケット化された前記符号化データを送信する送信ステップとをコンピュータに実行させ、
前記動画像符号化方法は、
符号化対象ブロックのブロックサイズが所定の閾サイズより大きい場合、符号化済み画像にあるブロックから予測動きベクトル候補を導出し、前記符号化対象ブロックのブロックサイズが前記所定の閾サイズ以下の場合、前記予測動きベクトル候補を導出しない予測動きベクトル候補生成ステップを備えることを特徴とする送信プログラム。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】変更
【補正の内容】
【００１５】
本発明のさらに別の態様は、送信装置である。この装置は、ブロック単位で動き補償予測を行う動画像符号化方法により符号化された符号化ビット列をパケット化して符号化データを得るパケット処理部と、パケット化された前記符号化データを送信する送信部とを備え、前記動画像符号化方法は、符号化対象ブロックのブロックサイズが所定の閾サイズより大きい場合、符号化済み画像にあるブロックから予測動きベクトル候補を導出し、前記符号化対象ブロックのブロックサイズが前記所定の閾サイズ以下の場合、前記予測動きベクトル候補を導出しない予測動きベクトル候補生成ステップを備える。
【手続補正７】
【補正対象書類名】明細書
【補正対象項目名】００１６
【補正方法】変更
【補正の内容】
【００１６】
本発明のさらに別の態様は、送信方法である。この方法は、ブロック単位で動き補償予測を行う動画像符号化方法により符号化された符号化ビット列をパケット化して符号化データを得るパケット処理ステップと、パケット化された前記符号化データを送信する送信ステップとを備え、前記動画像符号化方法は、符号化対象ブロックのブロックサイズが所定の閾サイズより大きい場合、符号化済み画像にあるブロックから予測動きベクトル候補を導出し、前記符号化対象ブロックのブロックサイズが前記所定の閾サイズ以下の場合、前記予測動きベクトル候補を導出しない予測動きベクトル候補生成ステップを備える。
【手続補正８】
【補正対象書類名】明細書
【補正対象項目名】０２３５
【補正方法】変更
【補正の内容】
【０２３５】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
本発明は、以下の態様により構成されてもよい。
［項目１］
ブロック単位で動き補償予測を行う動画像符号化装置であって、
符号化対象ブロックのブロックサイズが所定の閾サイズより大きい場合、符号化済み画像にあるブロックから予測動きベクトル候補を導出し、前記符号化対象ブロックのブロックサイズが前記所定の閾サイズ以下の場合、前記予測動きベクトル候補を導出しない予測動きベクトル候補生成部を備えることを特徴とする動画像符号化装置。
［項目２］
ブロック単位で動き補償予測を行う動画像符号化装置であって、
符号化対象ブロックのブロックサイズが所定の閾サイズより大きい場合、符号化済み画像にあるブロックから得られる予測動きベクトル候補を予測動きベクトル候補リストに含め、前記符号化対象ブロックのブロックサイズが前記所定の閾サイズ以下の場合、前記予測動きベクトル候補を前記予測動きベクトル候補リストに含めない予測動きベクトル候補リスト生成部と、
前記予測動きベクトル候補リストから前記符号化対象ブロックの予測動きベクトルを選択する予測動きベクトル選択部と、
前記予測動きベクトル候補リストにおける前記選択された予測動きベクトルの位置を示す情報を符号化する符号化部とを備えることを特徴とする動画像符号化装置。
［項目３］
前記符号化済み画像にあるブロックは前記符号化対象ブロックと同一位置のブロックまたは前記同一位置のブロックの周辺にあるブロックであることを特徴とする項目１または２に記載の動画像符号化装置。
［項目４］
前記符号化部は、前記所定の閾サイズを示す情報を符号化することを特徴とする項目１から３のいずれかに記載の動画像符号化装置。
［項目５］
前記符号化済み画像にあるブロックの動きベクトルは、所定領域毎に、所定領域内のいずれか１つのブロックの動きベクトルに設定されることを特徴とする項目１から４のいずれかに記載の動画像符号化装置。
［項目６］
前記所定の閾サイズは前記所定領域よりも小さくなるように設定されることを特徴とする項目５に記載の動画像符号化装置。
［項目７］
前記符号化対象ブロックを含む画像と前記符号化済み画像との時間差が長くなると前記所定の閾サイズが大きくなるよう制御することを特徴とする項目１から６のいずれかに記載の動画像符号化装置。
［項目８］
ブロック単位で動き補償予測を行う動画像符号化装置であって、
符号化対象ブロックに隣接するブロックから空間予測動きベクトル候補を導出する空間予測動きベクトル候補生成部と、
符号化済み画像にあるブロックから時間予測動きベクトル候補を導出する時間予測動きベクトル候補生成部と、
時間予測動きベクトルの利用を許可するか否かを示す利用許可情報が許可するを示す場合、前記空間予測動きベクトル候補と前記時間予測動きベクトル候補から予測動きベクトル候補リストを生成し、前記利用許可情報が許可しないを示す場合、前記空間予測動きベクトル候補から予測動きベクトル候補リストを生成する予測動きベクトル候補リスト生成部と、
前記予測動きベクトル候補リストから前記符号化対象ブロックの予測動きベクトルを選択する予測動きベクトル選択部と、
前記予測動きベクトル候補リストにおける前記選択された予測動きベクトルの位置を示す情報を符号化する符号化部とを備えることを特徴とする動画像符号化装置。
［項目９］
前記符号化済み画像にあるブロックは前記符号化対象ブロックと同一位置のブロックまたは前記同一位置のブロックの周辺にあるブロックであることを特徴とする項目８に記載の動画像符号化装置。
［項目１０］
前記符号化部は前記利用許可情報を符号化することを特徴とする項目８または９に記載の動画像符号化装置。
［項目１１］
前記符号化済み画像にあるブロックの動きベクトルは、所定領域毎に、所定領域内のいずれか１つのブロックの動きベクトルに設定されることを特徴とする項目８から１０のいずれかに記載の動画像符号化装置。
［項目１２］
複数のブロックサイズで動き補償予測を行う動画像符号化装置であって、
符号化対象ブロックに隣接する符号化済みの１個以上のブロックの動きベクトルから第１の予測動きベクトルの候補を含む第１予測ベクトル候補リストを生成する第１予測ベクトル候補リスト生成部と、
符号化済み画像における前記符号化対象ブロックと同一位置のブロック及び前記同一位置のブロックに隣接する１個以上のブロックの動きベクトルから第２の予測動きベクトルの候補を含む第２予測ベクトル候補リストを生成する第２予測ベクトル候補リスト生成部と、
前記符号化対象ブロックのブロックサイズと所定の閾サイズとの比較結果により、前記第１予測ベクトル候補リストと前記第２予測ベクトル候補リストを結合した第３予測ベクトル候補リストを生成するか否かを判定する結合判定部と、
前記符号化対象ブロックのブロックサイズが前記所定の閾サイズよりも小さい場合、前記第２予測ベクトル候補リストを結合せずに、前記第１予測ベクトル候補リストから前記第３予測ベクトル候補リストを生成する第３予測ベクトル候補リスト生成部と、
前記第３予測ベクトル候補リストから前記符号化対象ブロックの予測動きベクトルを選択する予測ベクトル選択部と、
前記第３予測ベクトル候補リストにおける前記選択された予測動きベクトルの位置を示す情報を符号化する符号化部とを備えることを特徴とする動画像符号化装置。
［項目１３］
複数のブロックサイズで動き補償予測を行う動画像符号化装置であって、
符号化済みのブロックの動きベクトルを最小ブロックサイズ単位で割り当てられたメモリエリアに格納して管理する第１動きベクトル記憶部と、
前記第１動きベクトル記憶部を参照して、符号化対象ブロックに隣接する符号化済みの１個以上のブロックの動きベクトルから第１の予測動きベクトルの候補を含む第１予測ベクトル候補リストを生成する第１予測ベクトル候補リスト生成部と、
符号化済み画像の最小ブロックサイズ単位の動きベクトルを所定の圧縮サイズでまとめて１つの代表動きベクトルに置き換え、圧縮サイズ単位で割り当てられたメモリエリアに格納して管理する第２動きベクトル記憶部と、
前記第２動きベクトル記憶部を参照して、符号化済み画像における前記符号化対象ブロックと同一位置のブロック及び前記同一位置のブロックに隣接する１個以上のブロックの動きベクトルから第２の予測動きベクトルの候補を含む第２予測ベクトル候補リストを生成する第２予測ベクトル候補リスト生成部と、
前記符号化対象ブロックのブロックサイズと所定の閾サイズとの比較結果により、前記第１予測ベクトル候補リストと前記第２予測ベクトル候補リストを結合した第３予測ベクトル候補リストを生成するか否かを判定する結合判定部と、
前記符号化対象ブロックのブロックサイズが前記所定の閾サイズよりも小さい場合、前記第２予測ベクトル候補リストを結合せずに、前記第１予測ベクトル候補リストから前記第３予測ベクトル候補リストを生成する第３予測ベクトル候補リスト生成部と、
前記第３予測ベクトル候補リストから前記符号化対象ブロックの予測動きベクトルを選択する予測ベクトル選択部と、
前記第３予測ベクトル候補リストにおける前記選択された予測動きベクトルの位置を示す情報を符号化する符号化部とを備えることを特徴とする動画像符号化装置。
［項目１４］
ブロック単位で動き補償予測を行う動画像符号化方法であって、
符号化対象ブロックのブロックサイズが所定の閾サイズより大きい場合、符号化済み画像にあるブロックから予測動きベクトル候補を導出し、前記符号化対象ブロックのブロックサイズが前記所定の閾サイズ以下の場合、前記予測動きベクトル候補を導出しない予測動きベクトル候補生成ステップを備えることを特徴とする動画像符号化方法。
［項目１５］
ブロック単位で動き補償予測を行う動画像符号化方法であって、
符号化対象ブロックのブロックサイズが所定の閾サイズより大きい場合、符号化済み画像にあるブロックから得られる予測動きベクトル候補を予測動きベクトル候補リストに含め、前記符号化対象ブロックのブロックサイズが前記所定の閾サイズ以下の場合、前記予測動きベクトル候補を前記予測動きベクトル候補リストに含めない予測動きベクトル候補リスト生成ステップと、
前記予測動きベクトル候補リストから前記符号化対象ブロックの予測動きベクトルを選択する予測動きベクトル選択ステップと、
前記予測動きベクトル候補リストにおける前記選択された予測動きベクトルの位置を示す情報を符号化する符号化ステップとを備えることを特徴とする動画像符号化方法。
［項目１６］
ブロック単位で動き補償予測を行う動画像符号化方法であって、
符号化対象ブロックに隣接するブロックから空間予測動きベクトル候補を導出する空間予測動きベクトル候補生成ステップと、
符号化済み画像にあるブロックから時間予測動きベクトル候補を導出する時間予測動きベクトル候補生成ステップと、
時間予測動きベクトルの利用を許可するか否かを示す利用許可情報が許可するを示す場合、前記空間予測動きベクトル候補と前記時間予測動きベクトル候補から予測動きベクトル候補リストを生成し、前記利用許可情報が許可しないを示す場合、前記空間予測動きベクトル候補から予測動きベクトル候補リストを生成する予測動きベクトル候補リスト生成ステップと、
前記予測動きベクトル候補リストから前記符号化対象ブロックの予測動きベクトルを選択する予測動きベクトル選択ステップと、
前記予測動きベクトル候補リストにおける前記選択された予測動きベクトルの位置を示す情報を符号化する符号化ステップとを備えることを特徴とする動画像符号化方法。
［項目１７］
ブロック単位で動き補償予測を行う動画像符号化プログラムであって、
符号化対象ブロックのブロックサイズが所定の閾サイズより大きい場合、符号化済み画像にあるブロックから予測動きベクトル候補を導出し、前記符号化対象ブロックのブロックサイズが前記所定の閾サイズ以下の場合、前記予測動きベクトル候補を導出しない予測動きベクトル候補生成ステップをコンピュータに実行させることを特徴とする動画像符号化プログラム。
［項目１８］
ブロック単位で動き補償予測を行う動画像符号化プログラムであって、
符号化対象ブロックのブロックサイズが所定の閾サイズより大きい場合、符号化済み画像にあるブロックから得られる予測動きベクトル候補を予測動きベクトル候補リストに含め、前記符号化対象ブロックのブロックサイズが前記所定の閾サイズ以下の場合、前記予測動きベクトル候補を前記予測動きベクトル候補リストに含めない予測動きベクトル候補リスト生成ステップと、
前記予測動きベクトル候補リストから前記符号化対象ブロックの予測動きベクトルを選択する予測動きベクトル選択ステップと、
前記予測動きベクトル候補リストにおける前記選択された予測動きベクトルの位置を示す情報を符号化する符号化ステップとをコンピュータに実行させることを特徴とする動画像符号化プログラム。
［項目１９］
ブロック単位で動き補償予測を行う動画像符号化プログラムであって、
符号化対象ブロックに隣接するブロックから空間予測動きベクトル候補を導出する空間予測動きベクトル候補生成ステップと、
符号化済み画像にあるブロックから時間予測動きベクトル候補を導出する時間予測動きベクトル候補生成ステップと、
時間予測動きベクトルの利用を許可するか否かを示す利用許可情報が許可するを示す場合、前記空間予測動きベクトル候補と前記時間予測動きベクトル候補から予測動きベクトル候補リストを生成し、前記利用許可情報が許可しないを示す場合、前記空間予測動きベクトル候補から予測動きベクトル候補リストを生成する予測動きベクトル候補リスト生成ステップと、
前記予測動きベクトル候補リストから前記符号化対象ブロックの予測動きベクトルを選択する予測動きベクトル選択ステップと、
前記予測動きベクトル候補リストにおける前記選択された予測動きベクトルの位置を示す情報を符号化する符号化ステップとをコンピュータに実行させることを特徴とする動画像符号化プログラム。
［項目２０］
ブロック単位で動き補償予測を行う動画像復号装置であって、
復号対象ブロックのブロックサイズが所定の閾サイズより大きい場合、復号済み画像にあるブロックから予測動きベクトル候補を導出し、前記復号対象ブロックのブロックサイズが前記所定の閾サイズ以下の場合、前記予測動きベクトル候補を導出しない予測動きベクトル候補生成部を備えることを特徴とする動画像復号装置。
［項目２１］
ブロック単位で動き補償予測を行う動画像復号装置であって、
復号対象ブロックのブロックサイズが所定の閾サイズより大きい場合、復号済み画像にあるブロックから得られる予測動きベクトル候補を予測動きベクトル候補リストに含め、前記復号対象ブロックのブロックサイズが前記所定の閾サイズ以下の場合、前記予測動きベクトル候補を前記予測動きベクトル候補リストに含めない予測動きベクトル候補リスト生成部と、
前記予測動きベクトル候補リストにおける参照すべき予測動きベクトルの位置を示す情報を復号する復号部と、
前記予測動きベクトル候補リストにおける参照すべき予測動きベクトルの位置を示す情報に基づいて前記予測動きベクトル候補リストから前記復号対象ブロックの予測動きベクトルを選択する予測動きベクトル選択部とを備えることを特徴とする動画像復号装置。
［項目２２］
前記復号済み画像にあるブロックは前記復号対象ブロックと同一位置のブロックまたは前記同一位置のブロックの周辺にあるブロックであることを特徴とする項目２０または２１に記載の動画像復号装置。
［項目２３］
前記復号部は、前記所定の閾サイズを示す情報を復号して、前記所定の閾サイズを得ることを特徴とする項目２０から２２のいずれかに記載の動画像復号装置。
［項目２４］
前記復号済み画像にあるブロックの動きベクトルは、所定領域毎に、所定領域内のいずれか１つのブロックの動きベクトルに設定されることを特徴とする項目２０から２３のいずれかに記載の動画像復号装置。
［項目２５］
前記所定の閾サイズは前記所定領域よりも小さくなるように設定されることを特徴とする項目２４に記載の動画像復号装置。
［項目２６］
前記復号対象ブロックを含む画像と前記復号済み画像との時間差が長くなると前記所定の閾サイズが大きくなるよう制御することを特徴とする項目２０から２５のいずれかに記載の動画像復号装置。
［項目２７］
ブロック単位で動き補償予測を行う動画像復号装置であって、
予測動きベクトル候補リストにおける参照すべき予測動きベクトルの位置を示す情報を復号する復号部と、
復号対象ブロックに隣接するブロックから空間予測動きベクトル候補を導出する空間予測動きベクトル候補生成部と、
復号済み画像にあるブロックから時間予測動きベクトル候補を導出する時間予測動きベクトル候補生成部と、
時間予測動きベクトルの利用を許可するか否かを示す利用許可情報が許可するを示す場合、前記空間予測動きベクトル候補と前記時間予測動きベクトル候補から予測動きベクトル候補リストを生成し、前記利用許可情報が許可しないを示す場合、前記空間予測動きベクトル候補から予測動きベクトル候補リストを生成する予測動きベクトル候補リスト生成部と、
前記予測動きベクトルの位置を示す情報に基づいて前記予測動きベクトル候補リストから前記復号対象ブロックの予測動きベクトルを選択する予測動きベクトル選択部とを備えることを特徴とする動画像復号装置。
［項目２８］
前記復号済み画像にあるブロックは前記復号対象ブロックと同一位置のブロックまたは前記同一位置のブロックの周辺にあるブロックであることを特徴とする項目２７に記載の動画像復号装置。
［項目２９］
前記復号部は前記利用許可情報を復号することを特徴とする項目２７または２８に記載の動画像復号装置。
［項目３０］
前記復号済み画像にあるブロックの動きベクトルは、所定領域毎に、所定領域内のいずれか１つのブロックの動きベクトルに設定されることを特徴とする項目２７から２９のいずれかに記載の動画像復号装置。
［項目３１］
複数のブロックサイズで動き補償予測を行う動画像復号装置であって、
予測ベクトル候補リストにおける参照すべき予測動きベクトルの位置を示す情報を復号する復号部と、
復号対象ブロックに隣接する復号済みの１個以上のブロックの動きベクトルから第１の予測動きベクトルの候補を含む第１予測ベクトル候補リストを生成する第１予測ベクトル候補リスト生成部と、
復号済み画像における前記復号対象ブロックと同一位置のブロック及び前記同一位置のブロックに隣接する１個以上のブロックの動きベクトルから第２の予測動きベクトルの候補を含む第２予測ベクトル候補リストを生成する第２予測ベクトル候補リスト生成部と、
前記復号対象ブロックのブロックサイズと所定の閾サイズとの比較結果により、前記第１予測ベクトル候補リストと前記第２予測ベクトル候補リストを結合した第３予測ベクトル候補リストを生成するか否かを判定する結合判定部と、
前記復号対象ブロックのブロックサイズが前記所定の閾サイズよりも小さい場合、前記第２予測ベクトル候補リストを結合せずに、前記第１予測ベクトル候補リストから前記第３予測ベクトル候補リストを生成する第３予測ベクトル候補リスト生成部と、
前記参照すべき予測動きベクトルの位置を示す情報にもとづいて前記第３予測ベクトル候補リストから前記復号対象ブロックの予測動きベクトルを選択する予測ベクトル選択部とを備えることを特徴とする動画像復号装置。
［項目３２］
複数のブロックサイズで動き補償予測を行う動画像復号装置であって、
予測ベクトル候補リストにおける参照すべき予測動きベクトルの位置を示す情報を復号する復号部と、
復号済みのブロックの動きベクトルを最小ブロックサイズ単位で割り当てられたメモリエリアに格納して管理する第１動きベクトル記憶部と、
前記第１動きベクトル記憶部を参照して、復号対象ブロックに隣接する復号済みの１個以上のブロックの動きベクトルから第１の予測動きベクトルの候補を含む第１予測ベクトル候補リストを生成する第１予測ベクトル候補リスト生成部と、
復号済み画像の最小ブロックサイズ単位の動きベクトルを所定の圧縮サイズでまとめて１つの代表動きベクトルに置き換え、圧縮サイズ単位で割り当てられたメモリエリアに格納して管理する第２動きベクトル記憶部と、
前記第２動きベクトル記憶部を参照して、復号済み画像における前記復号対象ブロックと同一位置のブロック及び前記同一位置のブロックに隣接する１個以上のブロックの動きベクトルから第２の予測動きベクトルの候補を含む第２予測ベクトル候補リストを生成する第２予測ベクトル候補リスト生成部と、
前記復号対象ブロックのブロックサイズと所定の閾サイズとの比較結果により、前記第１予測ベクトル候補リストと前記第２予測ベクトル候補リストを結合した第３予測ベクトル候補リストを生成するか否かを判定する結合判定部と、
前記復号対象ブロックのブロックサイズが前記所定の閾サイズよりも小さい場合、前記第２予測ベクトル候補リストを結合せずに、前記第１予測ベクトル候補リストから前記第３予測ベクトル候補リストを生成する第３予測ベクトル候補リスト生成部と、
前記参照すべき予測動きベクトルの位置を示す情報にもとづいて前記第３予測ベクトル候補リストから前記復号対象ブロックの予測動きベクトルを選択する予測ベクトル選択部とを備えることを特徴とする動画像復号装置。
［項目３３］
ブロック単位で動き補償予測を行う動画像復号方法であって、
復号対象ブロックのブロックサイズが所定の閾サイズより大きい場合、復号済み画像にあるブロックから予測動きベクトル候補を導出し、前記復号対象ブロックのブロックサイズが前記所定の閾サイズ以下の場合、前記予測動きベクトル候補を導出しない予測動きベクトル候補生成ステップを備えることを特徴とする動画像復号方法。
［項目３４］
ブロック単位で動き補償予測を行う動画像復号方法であって、
復号対象ブロックのブロックサイズが所定の閾サイズより大きい場合、復号済み画像にあるブロックから得られる予測動きベクトル候補を予測動きベクトル候補リストに含め、前記復号対象ブロックのブロックサイズが前記所定の閾サイズ以下の場合、前記予測動きベクトル候補を前記予測動きベクトル候補リストに含めない予測動きベクトル候補リスト生成ステップと、
前記予測動きベクトル候補リストにおける参照すべき予測動きベクトルの位置を示す情報を復号する復号ステップと、
前記予測動きベクトル候補リストにおける参照すべき予測動きベクトルの位置を示す情報に基づいて前記予測動きベクトル候補リストから前記復号対象ブロックの予測動きベクトルを選択する予測動きベクトル選択ステップとを備えることを特徴とする動画像復号方法。
［項目３５］
ブロック単位で動き補償予測を行う動画像復号方法であって、
予測動きベクトル候補リストにおける参照すべき予測動きベクトルの位置を示す情報を復号する復号ステップと、
復号対象ブロックに隣接するブロックから空間予測動きベクトル候補を導出する空間予測動きベクトル候補生成ステップと、
復号済み画像にあるブロックから時間予測動きベクトル候補を導出する時間予測動きベクトル候補生成ステップと、
時間予測動きベクトルの利用を許可するか否かを示す利用許可情報が許可するを示す場合、前記空間予測動きベクトル候補と前記時間予測動きベクトル候補から予測動きベクトル候補リストを生成し、前記利用許可情報が許可しないを示す場合、前記空間予測動きベクトル候補から予測動きベクトル候補リストを生成する予測動きベクトル候補リスト生成ステップと、
前記予測動きベクトルの位置を示す情報に基づいて前記予測動きベクトル候補リストから前記復号対象ブロックの予測動きベクトルを選択する予測動きベクトル選択ステップとを備えることを特徴とする動画像復号方法。
［項目３６］
ブロック単位で動き補償予測を行う動画像復号プログラムであって、
復号対象ブロックのブロックサイズが所定の閾サイズより大きい場合、復号済み画像にあるブロックから予測動きベクトル候補を導出し、前記復号対象ブロックのブロックサイズが前記所定の閾サイズ以下の場合、前記予測動きベクトル候補を導出しない予測動きベクトル候補生成ステップをコンピュータに実行させることを特徴とする動画像復号プログラム。
［項目３７］
ブロック単位で動き補償予測を行う動画像復号プログラムであって、
復号対象ブロックのブロックサイズが所定の閾サイズより大きい場合、復号済み画像にあるブロックから得られる予測動きベクトル候補を予測動きベクトル候補リストに含め、前記復号対象ブロックのブロックサイズが前記所定の閾サイズ以下の場合、前記予測動きベクトル候補を前記予測動きベクトル候補リストに含めない予測動きベクトル候補リスト生成ステップと、
前記予測動きベクトル候補リストにおける参照すべき予測動きベクトルの位置を示す情報を復号する復号ステップと、
前記予測動きベクトル候補リストにおける参照すべき予測動きベクトルの位置を示す情報に基づいて前記予測動きベクトル候補リストから前記復号対象ブロックの予測動きベクトルを選択する予測動きベクトル選択ステップとをコンピュータに実行させることを特徴とする動画像復号プログラム。
［項目３８］
ブロック単位で動き補償予測を行う動画像復号プログラムであって、
予測動きベクトル候補リストにおける参照すべき予測動きベクトルの位置を示す情報を復号する復号ステップと、
復号対象ブロックに隣接するブロックから空間予測動きベクトル候補を導出する空間予測動きベクトル候補生成ステップと、
復号済み画像にあるブロックから時間予測動きベクトル候補を導出する時間予測動きベクトル候補生成ステップと、
時間予測動きベクトルの利用を許可するか否かを示す利用許可情報が許可するを示す場合、前記空間予測動きベクトル候補と前記時間予測動きベクトル候補から予測動きベクトル候補リストを生成し、前記利用許可情報が許可しないを示す場合、前記空間予測動きベクトル候補から予測動きベクトル候補リストを生成する予測動きベクトル候補リスト生成ステップと、
前記予測動きベクトルの位置を示す情報に基づいて前記予測動きベクトル候補リストから前記復号対象ブロックの予測動きベクトルを選択する予測動きベクトル選択ステップとをコンピュータに実行させることを特徴とする動画像復号プログラム。